(57)【要約】【課題】  本発明は、屋根でスプレー塗装作業を行う際に、塗料の飛散を防止する装置を提供することを目的とする。【解決手段】  本発明は、屋根の塗装面の周囲を囲う包囲体を備え、包囲体の内部でスプレー塗装するための屋根塗装用の塗料飛散防止装置であって、前記包囲体の上端部には塗装面に向かって風が侵入するのを防止するための風よけ部材が設けられた、塗料飛散防止装置である。【選択図】  図１
2016176208.tif 000002
【特許請求の範囲】
【請求項１】
屋根の塗装面の周囲を囲う包囲体を備え、該包囲体の内部でスプレー塗装するための屋根塗装用の塗料飛散防止装置であって、
前記包囲体の上端部には前記塗装面に向かって風が侵入するのを防止するための風よけ部材が設けられたことを特徴とする、
塗料飛散防止装置。
【請求項２】
前記風よけ部材は、前記塗装面の視認性を低下させることがなく、作業性を低下させることがないよう構成される、請求項１に記載の塗料飛散防止装置。
【請求項３】
前記風よけ部材はエアカーテン発生機である、請求項１または２に記載の塗料飛散防止装置。
【請求項４】
前記エアカーテン発生器は、前記包囲体の一方の上端部から他方の対向する上端部に向けてエアカーテンを発生する、請求項３に記載の塗料飛散防止装置。
【請求項５】
前記包囲体の下部には、前記屋根の形状に合わせたアタッチメントが備えられてなる、請求項１〜４のいずれか一項に記載された塗料飛散防止装置。
【発明の詳細な説明】
【技術分野】
【０００１】
本発明は、屋根の塗装に関する、特に、スプレー塗装作業における塗料の飛散防止に関する発明である。
【背景技術】
【０００２】
従来の技術として、塗装箇所を包囲体で囲い、包囲体の内部でスプレーする装置が知られているが、装置の一部に開口があるため、装置内部に充満した塗料は、開口部より飛散し、完全に塗料の飛散を防止できる構造とはなっていない（例えば、特許文献１参照）。
【０００３】
また、スプレーの飛散塗料を水洗（ウォーターカーテン）により回収できる移動可能な塗装ブースユニットが知られているが、塗装ブースユニット以外の方向にスプレー塗装すると塗料が飛散するため、ユニットのある方向に向けてのみしかスプレー塗装することができない。また、ユニットを複数台設置し、複数方向に向けてスプレーを行うことも可能であるが、塗装済み直後の塗料が完全に硬化していない箇所にユニットを設置すると塗膜にキズが付く。塗装済み箇所にユニットを設置する際には塗膜の完全硬化後にユニットを設置しなければならず、大面積の屋根を効率的に塗装することは難しい（例えば、特許文献２参照）。
【０００４】
また、ガイドレール構造で、パラペット付近に容易に移動できる養生シート（板）を設置し、養生シートを風除けとして使用する用具が知られているが、パラペット周辺は養生シートを移動できるが、屋根の中央部までは養生シートを異動することは出来ず、完全な塗料の飛散防止とはなっていない（例えば、特許文献３参照）。
【先行技術文献】
【特許文献】
【０００５】
【特許文献１】特開平８−１１７６５９号公報
【特許文献２】実開平２−５３１５６号公報
【特許文献３】特開平８−１２０８５２号公報
【発明の概要】
【発明が解決しようとする課題】
【０００６】
本発明は、上記問題を解決するためになされるもので、本発明の課題は、屋根のスプレー塗装において、効率的に塗装ができ、かつ、塗料の飛散防止を解決することである。
【課題を解決するための手段】
【０００７】
上記課題を達成するため請求項１に記載の発明によれば、屋根の塗装面の周囲を囲う包囲体を備え、該包囲体の内部でスプレー塗装するための屋根塗装用の塗料飛散防止装置であって、包囲体の上端部には塗装面に向かって風が侵入するのを防止するための風よけ部材が設けられたことを特徴とする、塗料飛散防止装置が提供される。
【０００８】
塗装面の周囲を包囲体で囲い、包囲体の内部でスプレー塗装でき、包囲体内部から塗料が飛散しないように、塗装面の周囲と少なくとも一部の天面に風よけ部材を設けるため、包囲体内からスプレーによる塗料の飛散を防止できる。
【０００９】
また、請求項２に記載の発明によれば、塗料飛散防止装置において、風よけ部材は、前記塗装面の視認性を低下させることがなく、作業性を低下させることがないよう構成されることが好ましい。
【００１０】
このような構成とすることで、風よけ部材を設けても作業者は効率的な塗装作業が可能となる。
【００１１】
また、請求項３に記載の発明によれば、風よけ部材はエアカーテン発生機であることも好ましい。
【００１２】
スプレー作業を妨害しないよう風よけ部材はボードではなくエアーで風を遮る構造となっている。
【００１３】
請求項４に記載の発明によれば、エアカーテン発生器は、包囲体の一方の上端部から他方の対向する上端部に向けてエアカーテンを発生することも好ましい。
【００１４】
包囲体内部に風が巻き込まないようにするため、包囲体の一方の上端から対向する上部に向けて、仰角に風を発生させる構造となっている。包囲体の天面は、ボードではなく、エアカーテンとなっているため、天面から塗料が飛散することなく、また、作業者は塗装状態を目視で確認しながらスプレー塗装を行うことができる。
【００１５】
また、請求項５に記載の発明によれば、包囲体の下部は屋根の形状に合せたアタッチメントが備えられる構造となっていることも好ましい。
【００１６】
そのため、包囲体の下部からの風進入や包囲体内部からの塗料の飛散を防止できる。
【発明の効果】
【００１７】
本発明によれば、屋根のスプレー塗装において、包囲体には内部に風が進入する開口部が実質的に無いため、包囲体内部からのスプレーによる塗料の飛散を防止できる効果がある。
天面をエアカーテンで構成する場合、スプレー作業を妨害しない、また包囲体内部にエアカーテンの風が巻き込ませない効果があり、好ましい。さらに包囲体下部は屋根の構造に合せたアタッチメント構造とすると、屋根の形状にかかわらず、包囲体内部から風や塗料の飛散を防止できる効果がありより好ましい。
【図面の簡単な説明】
【００１８】
【図１】本発明の実施の形態にかかわる例を示す模式図である。
【図２】本発明の実施の形態にかかわる例を示す模式図である。
【図３】本発明の他の実施形態にかかわる例を表す模式図である。
【図４】本発明の他の実施形態にかかわる例を表す模式図である。
【図５】本発明の他の実施形態にかかわる例を表す模式図である。
【発明を実施するための形態】
【００１９】
以下、本発明の実施の形態について、図１から図５を参照しつつ説明する。尚、各図面中、同様の構成要素には同一の符号を付して詳細な説明は適宜省略する。
【００２０】
図１は、本発明の実施の形態にかかわる塗料飛散防止装置の模式図であり、図２は、図１を９０度回転させた模式図である。図３、図４、及び図５は、本発明の実施例の他の形態にかかわる模式図である。
【００２１】
本発明の実施の形態について、図1、及び図２を用いて説明する。
屋根塗装用の塗料飛散防止装置１には、包囲体２、風よけ部材３、アタッチメント４が備えられている。
【００２２】
包囲体２は天面と底面以外の４つの壁面をボードで囲われており、作業者５は天面から底面方向の屋根６に向ってスプレー７により塗装を行える。
【００２３】
また、天面付近は風よけ部材３によりエアカーテン８を発生させ、エアカーテン８により天面からの塗料の飛散を防止できる。この例では、風よけ部材３としてエアカーテン発生器を用いている。風よけ部材３をエアカーテン発生器とすることで、風よけ部材３によりエアカーテン８を発生させ、エアカーテン８により天面からの塗料の飛散を防止できる。天面はボードで覆わず、この例では、エアカーテン８となっているため、作業者５は塗装状態を目視で確認しながらスプレー７により塗装を行うことができ、好ましい。
【００２４】
また、エアカーテン８の風の方向は、包囲体２の一方の上端部から他方の対向する上端部に向けることが、飛散防止装置１の内部に風が巻き込まないため好ましい。より好適には、エアカーテン８の風の方向は、包囲体２の一方の上端部から他方の対向する上端部よりも上方に、さらに好適には、仰角を付けて、向ける。このようにすることで、飛散防止装置１の内部への風の巻き込みをより一層防止できる。
【００２５】
また、屋根６の形状に合せられるよう包囲体２の下部は取り替えられるようアタッチメント４が備えられる構造となっており、包囲体２の下部からの風の進入や包囲体２の内部からの塗料の飛散を防止することができる。
【００２６】
風よけ部材３として、透明なテープ状部材（図は省略）を用いてもよい。具体的には、包囲体２の一方の上端部から他方の対向する上端部に向けて、複数のテープ状部材を配設する。作業者は並列した２つのテープ状部材の間に手を差し込んで、スプレー作業を行なう。塗装方向とテープ状部材の長さ方向をそろえると、作業性を妨げず好ましい。風よけ部材３として、透明なテープ状部材を用いると、簡単な構成で風よけ効果を高めることができる。
【００２７】
本発明の実施例について、図３、図４、図５を用いて説明する。
【００２８】
図３の通り、包囲体２には、送風機９と排気ファン１０、フィルター１１を装着することもできる。排気ファン１０方向に向け送風機９で風を送り、包囲体２の内部に充満した飛散塗料をフィルター１１を介して、排気ファン１０により包囲体２の外に排出することもできる。
【００２９】
また、図４の通り、作業者５が一人で容易に塗料飛散防止装置１を移動させることができるよう車輪１２を例えば４ヶ装着した移動装置１３を塗料飛散防止装置１に取付けることもできる。
【００３０】
車輪１２を塗料飛散防止装置１に取付けると塗装済み直後の箇所に車輪１２が載る可能性があるため、塗装済みの箇所に車輪１２が載らないように移動装置１３に車輪１２を取付けることもできる。
【００３１】
また、塗料飛散防止装置１側に傾かないように移動装置１３側にバランサー１４を取付けることもできる。
【００３２】
また、未塗装箇所に移動装置１３を置くことで、塗装済み箇所に車輪１２が載らないようにできるため、塗装済み直後の箇所の塗膜を傷つけることはない。
【００３３】
また、図５の通り、屋根６の形状に合せて移動装置１３の長さを調整できるように移動装置１３は伸縮パイプ１５を取付けることもできる。伸縮パイプ１５により、例えば、車輪１２を屋根６の所望の位置に配置することができ好ましい。
【００３４】
以上、本実施形態によれば、屋根でスプレー塗装する際に、塗料の飛散を防止し、かつ効率よく作業可能となる装置を提供できる。
【符号の説明】
【００３５】
１・・・・塗料飛散防止装置
２・・・・包囲体
３・・・・風よけ部材
４・・・・アタッチメント
５・・・・作業者
６・・・・屋根
７・・・・スプレー
８・・・・エアカーテン
９・・・・送風機
１０・・・排気ファン
１１・・・フィルター
１２・・・車輪
１３・・・移動装置
１４・・・バランサー
１５・・・伸縮パイプ
【図１】
2016176208.tif 000003
【図２】
2016176208.tif 000004
【図３】
2016176208.tif 000005
【図４】
2016176208.tif 000006
【図５】
2016176208.tif 000007